(57)【特許請求の範囲】
【請求項１】
ディジタル画像中の光フォールオフを補償する画像処理方法であって、
画素からなり、入力光バランスを有する入力ディジタル画像を与える段階と、
上記画素のうちの１以上の画素の光フォールオフを補償するために個々の補償値を与え、それにより上記個々の補償値は上記入力ディジタル画像の光バランスの変化を生じさせる段階と、
上記入力ディジタル画像の上記光バランスの変化を最小にする光バランス値を決定する段階と、
光フォールオフを補償し、光バランスを補正した補正ディジタル画像を与えるために、上記入力ディジタル画像の上記１以上の画素に対して上記個々の補償値及び上記光バランス値を適用し、上記補正ディジタル画像の上記光バランスと上記入力ディジタル画像の上記光バランスとの間の変化を最小にする段階とを含む方法。
【請求項２】
上記個々の補償値を与える段階は、
上記ディジタル画像中の位置に依存して変化するフォールオフ補償情報を与える段階と、
上記１以上の画素のための個々の補償値を発生するために上記フォールオフ補償情報を用いる段階とを含む、請求項１記載の方法。
【請求項３】
上記バランス値を決定する段階は、バランス値を決定するために上記フォールオフ補償情報を用いる、請求項２記載の方法。
【発明の詳細な説明】
【０００１】
【発明の属する技術分野】
本発明は、概してディジタル画像処理の分野に係り、特にディジタル画像のバランスを保ちつつディジタル画像を光フォールオフについて補償するディジタル画像処理に関する。
【０００２】
【従来の技術】
レンズは、均一に照明された面の像を結ぶとき、焦点面に不均一な露光を生じさせる。例えば、均一に照明された光学軸に対して垂直な灰色の壁からの光は、レンズを通り、中心において最も明るく半径方向に暗くなる像を形成する。レンズが理想的な薄いレンズである場合、像の光の強度はレンズの光学軸と像平面の点の間の角度のｃｏｓ４で表わされる。この現象の可視の効果はフォールオフ（falloff）または光フォールオフと称される。
【０００３】
更に、フラッシュフォールオフ及び口径食といった他の因子も、画像上に可視となることが多いフォールオフ現象の一因となる。口径食は、光学系を通る光線が損失したことを表わす性質である。フラッシュフォールオフは、近傍の人工光源の指向性照明に固有の現象である。
【０００４】
従来技術では、捕捉時に生ずるフォールオフについて画像を補償する方法の幾つかの例が知られている。Toyoda外による米国特許第５，４６１，４４０号では、画像が捕捉されると同時にフィルム上にカメラ識別コードを記録する方法が開示されている。識別コードは、レンズ情報（焦点距離、焦点、及び開口値）を特定するものである。識別コードは、ディジタル処理中に、ルックアップテーブルを用いて画像に適用されるべき所望の補正レベルに変換される。
【０００５】
しかしながら、このような情報を写真フィルム上に記録するのは必ずしも実際的はなく、また必ずしも可能でない。従って、画像捕捉時にカメラの光学系についてあまり知識を有さずとも捕捉されるシーン中のレンズフォールオフのレベルについて補償する方法が必要とされる。
【０００６】
更に、共通に譲受され参照として本願に組み入れられる同時係属中の米国特許出願第０９／２９３，１９７号（"A  Method  for  Compensating  Digital  Images  for  Light  Falloff  and  an  Apparatus  Therefor"）において、Gallagher及びGindeleは、ディジタル画像にフォールオフ補償を適用する方法を記載している。補償は、フォールオフ補償関数及びフォールオフ補正パラメータに基づいてディジタル画像の各画素についての個々の補償値を決定することによって行われる。しかしながら、Gallagher及びGindeleによって開示されたフォールオフ補償方法は、ディジタル画像中のフォールオフを補正することに成功しているが、補正されたディジタル画像は元のディジタル画像よりも明るく見えてしまう。これは補償の望ましくない副次的な悪い効果である。例えば、正しいバランスを有すると見えたディジタル画像がフォールオフについて補償されると、補償されたディジタル画像は明るすぎて見えることとなる。更に、補正されたディジタル画像の明るさの度合いは、フォールオフ補償関数及びフォールオフ補正パラメータに依存する。
【０００７】
【発明が解決しようとする課題】
従って、上述の欠点を克服する必要がある。特に、補償されたディジタル画像のバランスが元のディジタル画像のバランスと同様であるようディジタル画像にフォールオフ補償を適用する必要性がある。
【０００８】
【課題を解決するための手段】
本発明は、上述の１つ以上の問題を克服する方法を提供することを目的とする。概説するに、本発明の１つの面によれば、本発明は、画素からなる入力ディジタル画像を与える段階と、１以上の画素の光フォールオフを補正するために個々の補償値を与え、それにより個々の補償値はディジタル画像のバランスの変化を生じさせる段階と、ディジタル画像のバランスの変化を補正するバランス値を決定する段階と、光バランスの変化を最小としつつ光フォールオフについて補償された補正された画像を与えるために、入力ディジタル画像の１以上の画素に対して個々の補償値及びバランス値を適用する段階とを含む、ディジタル画像中の光フォールオフを補償する画像処理方法である。
【０００９】
本発明の更なる面では、個々の補償値を与える段階は、ディジタル画像中の位置に依存して変化するフォールオフ補償情報を与える段階と、１以上の画素のための個々の補償値を発生するために上記フォールオフ補償情報を用いる段階とを含む。或いは、個々の補償値を与える段階は、ディジタル画像中の位置に依存して変化するフォールオフ補償マスクを与える段階と、１以上の画素に対して個々の補償値を生成するためにフォールオフ補償マスクを使用する段階とを含みうる。バランス値を決定する段階は、バランス値を決定するためにフォールオフ補償情報又はフォールオフ補償マスクのいずれかを使用する。
【００１０】
【発明の実施の形態】
本発明の上述及び他の面、対象、特徴、及び利点については、以下の望ましい実施例の詳細な説明を読み、添付の図面を参照することによってよりよくされよう。様々な形式の画像補償を用いる画像処理の方法及びシステムが周知であるため、本願では特に本発明による方法の一部であるかより直接的に協働する特性について説明するものとする。本願において特に図示しない又は詳述しない特性は、従来技術において知られているものから選択されうる。以下の説明では、本発明の望ましい実施例は通常はソフトウエアプログラムとして実施されるが、当業者はかかるソフトウエアと同等のものがハードウエアとして構築されうることを容易に認識するであろう。以下に記載する本発明によるシステムが与えられているとき、本発明の実施に有用であり本願に特に図示、提案、又は説明されていないソフトウエアは従来通りであり、かかる技術における通常の技術であるとする。本発明がコンピュータプログラムとして実施されるとき、プログラムは、例えば、磁気ディスク（フロッピー（登録商標）ディスク又はハードドライブ等）又は磁気テープといった磁気記憶媒体、光ディスク、光テープ又は機械読取り可能な光記憶媒体、ランダムアクセスメモリ（ＲＡＭ）又は読み出し専用メモリ（ＲＯＭ）といった半導体電子記憶装置、又はコンピュータプログラムを格納するために使用される他の物理的装置又は媒体といった従来のコンピュータ読み取り可能な媒体に記憶されうる。
【００１１】
図１は、従来技術のフォールオフ補償を実行するための方法を示す図である。尚、本発明は一般的に、赤、緑及び青の画素値の２次元配列又は光の強度に対応する単色画素値の配列のディジタル画像を使用する。ディジタル画像は、更なる処理のために用いられるディジタル画像データの形式である。ディジタルカメラ（図示せず）は、ディジタル画像のための源でありうる。或いは、ディジタル画像は、アドバンスド・フォト・システム（ＡＰＳ）（Ｒ）フィルム、３５ｍｍフィルム又は任意の他のフィルムフォーマット等の従来の写真フィルムを走査することによって生成されうる。従って、実際は、ディジタル画像を捕捉するために一巻きのフィルムの少なくとも１つのフィルムフレームがディジタル化手段による処理を受ける。或いは、ディジタル画像は、ハードコピー画像といった他の画像を走査することによって生成されうる。いずれの場合も、ディジタル画像データはフォールオフ補償部へ与えられる。フォールオフの補償の後、レンダリング手段は、表示又は印刷のために使用されうる最終画像、即ち、フォールオフ補償された画像を形成する。
【００１２】
本発明によって示される画像データのメトリックは、対数露光であると想定される。入力画像の画像データのメトリックが実際には露光に対して線形に関連する場合は、本発明の他の実施例が実施されうる。ディジタル画像の画像データが露光に対して対数的に関連しない場合、画像は変形により対数露光に関連するメトリックへ変換されうる。１つのメトリックから他のメトリックへ変換するために使用されるかかる変形は画像処理の技術において周知である。
【００１３】
上述のように、理想的な薄いレンズは、均一に照明された面の像を結ぶときは焦点面において不均一な露光を生成する。
【００１４】
光フォールオフはレンズフォールオフによって生ずる場合があり、撮影時にフラッシュが使用された場合はフラッシュフォールオフによっても生ずる場合がある。ディジタル画像中の光フォールオフは、ディジタル画像の画素値に変更を加えることによって補償される。まず、ディジタル画像の少なくとも一部に対応する複数の画素値が補償部に与えられる。上述のように、様々なロールフィルムの種類（アドバンスド・フォト・システム又は３５ｍｍ）又はディジタルカメラ或いはスキャナといったディジタル画像の源が使用されうる。
【００１５】
図１に示すように、公知のフォールオフ補償部１０は、ディジタル画像の各画素に対する個々の補償値を決定し適用するためにフォールオフ補償情報２０を受信する。ディジタル画像が対数露出に比例するメトリックであると想定すると、各補償値はディジタル画像の各画素に加えられる値である。フォールオフ補償部１０へのディジタル画像入力は、ａ（ｘ，ｙ）と表わすことができ、但し、０＜＝ｘ＜ｒ及び０＜＝ｙ＜ｃであり、ｒ及びｃは、ディジタル画像中の行と列の数を夫々示す。ディジタル画像の任意の１つのサンプルａ（ｘ0，ｙ0）はディジタル画像の１つの画素を表わす。個々の補償値の集合はｆｃｍ（ｘ，ｙ）と表わされ、フォールオフ補償マスクと称される。このように、個々の補償値はディジタル画像中の位置（ｘ，ｙ）によって変化する。実際に、ｆｃｍ（ｘ，ｙ）が定数である（位置によっては変化しない）場合は、フォールオフ補償部１０はディジタル画像ａ（ｘ，ｙ）をそのフォールオフについては補償しない。ディジタル画像が対数露光に比例するメトリックで表わされる場合、フォールオフ補償部１０は各補償値に対してディジタル画像中の対応する画素を加えることが望ましい。これは、以下の式、
ｂ（ｘ，ｙ）＝ａ（ｘ，ｙ）＋ｆｃｍ（ｘ，ｙ）          式（１）
で表わされ、ただし、ｂ（ｘ，ｙ）は補正されたディジタル画像を示す。ディジタル画像ａ（ｘ，ｙ）が各（ｘ，ｙ）画素位置において多数の色から構成される場合、個々の補償値ｆｃｍ（ｘ，ｙ）はディジタル画像ａ（ｘ，ｙ）の各色と組み合わされることが望ましい。当業者は、ディジタル画像ａ（ｘ，ｙ）が（対数露光ではなく）露光に比例するメトリックで表わされる場合、補正されたディジタル画像をフォールオフ補償部１０によって生成するために用いられる式は、
ｂ（ｘ，ｙ）＝ａ（ｘ，ｙ）＊ｆｃｍ（ｘ，ｙ）          式（２）
である。
【００１６】
本願の詳細な説明を通じて、ディジタル画像のメトリックは対数露光に比例すると想定されるべきである。当業者は、上述の方法を例えば露光に比例するメトリック又はガンマメトリックといったメトリックに容易に変更しうる。尚、本願の詳細な説明では、ディジタル画像の一部はそれ自体がディジタル画像である。
【００１７】
フォールオフ補償部１０には、フォールオフ補償情報２０が供給され、その夫々から個々の補償値が導出される。フォールオフ補償情報２０は、幾つかの形式をとりうる。第１の場合、フォールオフ補償情報２０は単にディジタル画像と同じディメンションのフォールオフ補償マスクである。この場合、補正されたディジタル画像は式１によって容易に計算されうる。フォールオフ補償マスクは、例えば式を評価すること又はターゲットを走査することといった他の任意の方法によって外部的に作成されうる。第２の場合、フォールオフ補償マスクはディジタル画像とは異なるディメンションを有しうる。これは、装置が多くの解像度の画像入力を受信しうる場合、又は低解像度のフォールオフ補償マスクを格納することが望ましい場合に生ずることが多い。第２の場合は、フォールオフ補償マスクは、ディジタル画像と同数の行及び列を含むよう補間及び／又はクロッピングされうる。望ましい第３の場合は、フォールオフ補償部１０にフォールオフ補償関数及び適当なパラメータ値が供給される。すると、フォールオフ補償部１０は、ディジタル画像中の各画素位置に対して供給されたパラメータ値を用いてフォールオフ補償関数を評価する。従来技術（本願に参照として組み入れられる共通に譲渡された同時係属中の２０００年７月２７日出願の米国特許出願第０９／６２６，８８２号「A  Method  and  System  for  Automatically  Determining  a  Level  of  Light  Falloff  in  an  Image」に記載）の望ましい実施として、Gallagherはフォールオフ補償部へ与えられる以下のフォールオフ補償関数、
【００１８】
【数１】
0004176369.tif 000002
を記載しており、ただし、ｄはディジタル画像の中心からの（ｘ，ｙ）位置であり、ｃｖｓは露光の絞り当たりのコード値の数（ｃｖｓは露光対数メトリックの尺度を示し、望ましい値は１８８である）である。パラメータｆは、フォールオフ補償部がフォールオフを補正するレンズの焦点距離を（ピクセルで）表わす。
【００１９】
更に、変数ｆを、以下の式、
【００２０】
【数２】
0004176369.tif 000003
により計算することができ、ただし、ｄｍａｘは位置（０，０）（又はディジタル画像の任意のコーナー）からディジタル画像の中心への距離をピクセルで表わしたものである。距離ｄ及びｄｍａｘは以下の式、
【００２１】
【数３】
0004176369.tif 000004
により計算されうる。
【００２２】
すると、変数ｆｃはフォールオフ補償マスクｆｃｍ（ｘ，ｙ）の単一の自由なパラメータを表わす。この補正パラメータｆｃは、ディジタル画像の中心に対するディジタル画像のコーナーの画素に適用された補正の絞りの数を示す。従って、ディジタル画像の中心（ｆｃｍ（ｒ／２），（ｃ／２））におけるｆｃｍ（ｘ，ｙ）の値は０であり、ディジタル画像のコーナー（例えばｆｃｍ（０，０））のコーナーにおけるｆｃｍの値はｆｃ＊ｃｖｓである。このように、フォールオフ補償関数（望ましくは式（３）−（６））によって示される）と適当な補正パラメータｆｃを与えることにより、フォールオフ補償部１０は個々の補償値を決定することができる。尚、補正されたディジタル画像を作成するために式（１）を実施するとき、完全なフォールオフ補償マスクは単一の時点においては存在しえない。上述の共通に譲渡された同時係属中の米国特許出願第０９／２９３，１９７号は、ｆｃの値を自動的に選択する方法について記載している。更に、上述の共通に譲渡された同時係属中の米国特許出願第０９／６２６，８８２号は、ｆｃの値を自動的に選択する方法について記載している。
【００２３】
図２は、従来技術において知られているフォールオフ補償マスクの図式的な例を示す。最小値はマスクの中央で生じ、最大値はマスクのコーナーのうちの１つで生ずる。式（１）で示されるようなフォールオフ補償マスクを適用することにより、ディジタル画像はフォールオフについて補正される。
【００２４】
図３Ａは、フォールオフのあるディジタル画像の例を示す図である。図３Ｂは式（３）乃至（６）によって示されるフォールオフ関数とｆｃ＝３．５の値と共に式（１）を用いて出力されるフォールオフ補償部１０からの補正されたディジタル画像を示す。補正されたディジタル画像は、明らかにフォールオフがなく、均一な照明を示す。しかしながら、図３Ｂの補正されたディジタル画像はバランスが明るく見える。フォールオフ補償関数の最小値は０であるため、ｆｃｍ（ｘ，ｙ）の平均値は０よりも大きい。このように、補正されたディジタル画像の平均値はディジタル画像の平均値よりも大きい。言い替えれば、フォールオフ補償部１０によってフォールオフ補償マスクをディジタル画像に適用することにより、そのバランスが変更される。これはフォールオフ補償の望ましくない性質である。
【００２５】
ここで図４を参照するに、上述のフォールオフ補償は、本発明によれば上述のようなフォールオフ補償によって生ずるバランスの問題について補正することによって変更される。更に特定的には、図４は、フォールオフ補償部が、元のディジタル画像と補正されたディジタル画像との間のバランスの差を最も小さくしつつディジタル画像にフォールオフ補償を適用しうる方法を示す。
【００２６】
上述と同様、フォールオフ補償部４０は、フォールオフ補償を必要とするディジタル画像と、フォールオフ補償情報２０とを入力する。更に、フォールオフ補償部４０は、上述のようにフォールオフ補償によって引き起こされるバランスの変化を是正するバランス値Ｑを入力する。バランス値Ｑは、ディジタル画像ａ（ｘ，ｙ）中の位置に依存しない。望ましい実施例では、フォールオフ補償部４０は、（式（１）ではなく）以下の式、
ｂ（ｘ，ｙ）＝ａ（ｘ，ｙ）＋ｆｃｍ（ｘ，ｙ）＋Ｑ        式（７）
に従ってディジタル画像の各画素に対してバランス値及び個々の補償値を適用することによってフォールオフ補償を行う。画像ａ（ｘ，ｙ）が露光メトリックで表わされる場合、Ｑは式（７）で示される加法項ではなく乗算係数で表わされる。
【００２７】
バランス値Ｑは、フォールオフ補償情報２０を解析することによって決定される。バランス値決定部３０は、フォールオフ補償情報２０を入力として受け取り、バランス値Ｑを出力する。多くの方法はフォールオフ補償情報２０からバランス値Ｑを決定するために使用されうる。望ましい実施例では、バランス値Ｑは以下の式、
【００２８】
【数４】
0004176369.tif 000005
によって決定される。式中、バランス値Ｑは、図５に示されるフォールオフ補償マスクｆｃｍ（ｘ，ｙ）の中央部分６０のネガ（negative）である。このＱの選択には幾つかの理由がある。まず、このＱでフォールオフ補償マスクを適用することにより、ディジタル画像の中央部分６０の平均と補正されたディジタル画像が等しくなることが確実となる。また、画像の被写体が中央に近いと想定すると、画像の中央部分の平均を残すことはバランスの保存に対する理にかなった段階である。変数Ｓは、図５に示されるような、中央部分６０の大きさを、ディジタル画像５０全体のうち中央部分６０にある画素の割合として示したものである。Ｓ＝１００のとき、Ｑはｆｃｍ（ｘ，ｙ）の平均に等しい。
【００２９】
Ｓの望ましい値は３５である。この値のＳはｆｃの値には依存せず、バランス値決定部３０によって実施されるＱに対する式（８）の選択が良いことを示す。図６は、補正パラメータｆｃの値の選択に対するバランス値Ｑの値を示すグラフである。尚、Ｑの値は常に負である。更に、Ｑは単調であり、ｆｃが増加するにつれ減少する。
【００３０】
他の実施例として、代数の分野の当業者は、図１に示される方法と式（１）を用いて補正されたディジタル画像を作成することによって、同じ定数Ｑが得られることを認識するであろう。Ｑは、ディジタル画像の中央部分の平均とフォールオフ補償部１０から出力される補正されたディジタル画像との差をとることにより見つけられうる。尚、この方法は望ましい実施例よりも効率は低いが、Ｑについて得られる計算された値は同じである。バランス値Ｑは、本発明の望ましい実施例を用いてフォールオフ補償部４０から出力されるディジタル画像に等しい画像を生成するためにフォールオフ補償部１０から出力される補正されたディジタル画像出力に対して適用されうる。このような変更は上述の本発明に等しく、明らかに望ましい実施例と同様の効果を生じさせ、本発明の範囲に含まれると考えられる。
【００３１】
図７Ａ及び図７Ｂは、Ｓの望ましい値が３５であると決定するのに用いられた方法を示す図である。２つの処理パスについて比較する。図７Ａに示す第１の処理パスは、画像バランスを識別するためにシーンバランスアルゴリズム７０に入力されるディジタル画像ａ（ｘ，ｙ）を示す。シーンバランスアルゴリズム７０は、ディジタル画像の解析を行ない、第１の画像バランスＢ１を決定する。シーンバランスアルゴリズムは、例えば、本願に参照として組み入れられ共通に譲受されたＤ．Ｃｏｋにより１９９０年７月３１日発行の「Apparatus  and  Accompanying  Methods  for  Achieving  Automatic  Color  Balancing  in  a  Film  to  Video  Transfer  System」なる名称の米国特許第４，９４５，４０６号に記載されている。
【００３２】
図７Ｂに示す第２の処理パスでは、ディジタル画像はフォールオフ補償マスク４０に入力され、補正されたディジタル画像が生成される。次に、ディジタル画像は、第２の画像バランスＢ２を出力する同一のシーンバランスアルゴリズム７０へ入力される。フォールオフ補償部４０によって行われるフォールオフのための補償の方法がディジタル画像のバランスを変更しなければ、Ｂ１はＢ２と略等しくなる。このように、Ｓの値は、Ｂ１とＢ２の間の差が多数の画像に亘って最小とされるまで変更される。更に、Ｓの値は、Ｂ１とＢ２の間の差がｆｃの多くの値に亘って最小とされるまで変更される。この分析に基づき、Ｓの最適値はｆｃの種々の値に対して３５であると決定された。しかしながら、Ｓの他の値、例えば画像の２５％乃至４５％に対応するＳの値もまた満足のいく結果を得られるものであり、本発明はＳの特定の値に限られるものではないことが理解されるべきである。
【００３３】
本発明は、画像バランスを変更することなく画像にフォールオフ補償を適用する方法を示す。本質的には、シーンバランスアルゴリズム７０がフォールオフ補償部４０の出力に適用される最終的な結果は図７Ｂのパスと同様である。しかしながら、本発明は、追加的な段階であるシーンバランスアルゴリズム７０が必要とされないという利点を有する。
【００３４】
最後に、本発明の有効性を示し、図３Ａ及び図３Ｂに示す画像と比較して、図８は、ディジタル画像のバランスを維持し、少なくとも影響を最も少ないようにしつつ、フォールオフ補償部４０によってフォールオフ補償が行われる本発明の方法（図４と式（７）及び（８）に示す）によって生成される補正されたディジタル画像を示す図である。例えば、図８に示される画像は、図３Ｂよりもはっきりと白いシャツの細部と顔を示す。
【００３５】
尚、この実施例は、ディジタル画像入力に関して説明されたが、この実施例から実質的に逸脱することなく本願の含まれる実施例に対する種々の変更がなされうる。例えば、本願に参照として組み入れられ同時係属中のA.Gallagher及び及びE.Gindeleにより２０００年８月２２日に出願された「System  and  Method  for  Light  Falloff  Compensation  in  an  Optical  System」なる名称の米国特許出願第０９／６４３，５４４号に記載の、マスキングユニットとしてのＬＣＤを含む標準的なアナログプリンタ上で、本実施例と同様の技術を行なうことが可能である。
【００３６】
本発明の全体的な技術は上記の通りであり、本発明は当業者によって知られている任意の数の異なる種類のシステム及び任意の数の異なる方法で実施されうる。例えば、図９に示すように、本発明による情報処理／コンピュータシステムの一般的なハードウエア形態は、少なくとも１つのプロセッサ又は中央処理装置（ＣＰＵ）１００を有する。ＣＰＵ１００は、システムバス１０１を介して、ランダムアクセスメモリ（ＲＡＭ）１０２、読み出し専用メモリ（ＲＯＭ）１０３、（ディスクユニット１０５及びテープドライブ１０６といった周辺装置をバス１０１に接続するための）入力／出力（Ｉ／Ｏ）アダプタ１０４、（情報処理システムをデータ処理ネットワークに接続するための）通信アダプタ１０７、（キーボード、マウス、ディジタル画像入力ユニット（例えばスキャナ）、マイクロホンスピーカ及び／又は他のユーザ装置といった周辺機器１０９、１１０、１１１をバス１０１に接続するための）ユーザインタフェースアダプタ１０８、プリンタ１１２、及び（バス１０１をディスプレイ装置１１４に接続するための）ディスプレイアダプタ１１３に相互接続される。本発明は、例えば記憶装置１０５上に格納されたコンピュータプログラムに本発明の方法を入れることにより図９に示す構造を用いることで実施されうる。このようなコンピュータプログラムは、インタフェースアダプタ１０８又はネットワーク接続１０７を通じて供給される、又はディスクユニット１０５上記格納された一連の画像フレームに対して作用する。システムは、プリンタ１１２を通じて又はネットワーク１０７へ戻ったディスプレイ１１４上に所望のフォールオフ補償されたディジタル画像を自動的に生成する。
【００３７】
【発明の効果】
本発明の主な利点は、補償されたディジタル画像のバランスが元のディジタル画像のバランスと同様であるようディジタル画像に対してフォールオフ補償が適用され、従って更に満足のいく結果が得られることである。
【図面の簡単な説明】
【図１】  フォールオフ補償を行うための従来技術による方法を示すブロック図である。
【図２】  図１に示される公知の方法によって与えられる種類のフォールオフ補償マスクを３次元的に示す図である。
【図３Ａ】  フォールオフ補償を必要とするディジタル画像を必要とする図である。
【図３Ｂ】  従来技術の方法によって補正された不自然に明るいディジタル画像を示す図である。
【図４】  本発明によるディジタル画像のバランスの変化を最小限としつつフォールオフ補償を行う方法を示すブロック図である。
【図５】  本発明によるディジタル画像のバランスの変化を最小限としつつフォールオフ補償を行うために使用されるディジタル画像全体のうちの中央部分を示す図である。
【図６】  本発明により計算されるバランス値Ｑと補償補正パラメータｆｃとの間の関係を示す図である。
【図７Ａ】  画像バランスＢ１を決定する第１のパスを示す図である。
【図７Ｂ】  画像バランスＢ２を決定する第２のパスを示す図である。
【図８】  本発明の方法によって生成される補正されたディジタル画像を示す図である。
【図９】  本発明を実施するためのコンピュータシステムを示すブロック図である。
【符号の説明】
１０    フォールオフ補償部
２０    フォールオフ補償情報
３０    バランス値決定部
４０    フォールオフ補償部
５０    ディジタル画像全体
６０    中央部
７０    シーンバランスアルゴリズム
１００    ＣＰＵ
１０１    バス
１０２    ＲＡＭ
１０３    ＲＯＭ
１０４    Ｉ／Ｏアダプタ
１０５    ディスクユニット
１０６    テープドライブ
１０７    通信アダプタ
１０８    インタフェースアダプタ
１０９    キーボード
１１０    マウス
１１１    ディジタル画像入力ユニット
１１２    プリンタ
１１３    ディスプレイアダプタ
１１４    ディスプレイ装置
【図１】
0004176369.tif 000006
【図２】
0004176369.tif 000007
【図３Ａ】
0004176369.tif 000008
【図３Ｂ】
0004176369.tif 000009
【図４】
0004176369.tif 000010
【図５】
0004176369.tif 000011
【図６】
0004176369.tif 000012
【図７Ａ】
0004176369.tif 000013
【図７Ｂ】
0004176369.tif 000014
【図８】
0004176369.tif 000015
【図９】
0004176369.tif 000016